(57)【要約】【課題】  既設の杭や既存の地下構造物等の障害物有無や位置に拘わらず、障害物を破砕しながら必要な大きさの杭穴を掘削して地中杭を新設する方法及びそのための杭穴掘削用特殊なカッターバケットの提供を目的とするものである。【解決手段】  下部円周端面９に回転方向に対して４５°傾斜した複数のカッタービット８を有するカッタードラム２と、複数のドリルビット７を有し、前記ドラム２の内周面と回転中心軸であるドリルパイプ３の表面との間に約６０°の後退角を有する翼板５を設け、前記カタードラム２のカッタービット８はドラムの回転方向に対し約４５°の傾斜を有し、前記翼板５に設けられたカッタービット７は前記ドリルパイプ３の軸線に対し約３０°の傾斜角を有し、且つドリルパイプの先端部のフィニッシュテール６がカッタードラム２の下部円周端面９より突出しないことを特徴とする特殊カッターバケットを使用して、既存の地下障害物を破砕しながら必要な大きさの杭穴を掘削して地中杭を新設する。【選択図】図１
2014118807.tif 000002
【特許請求の範囲】
【請求項１】
新設する杭径に適したアースドリル装置にて、既存の地中杭又はその一部を含む障害物を粉砕撤去し、新設する杭径の穴を掘削した後に、掘削された杭穴に鉄筋による補強部材を構築して建て込み、生コンクリートを打ち込むことにより既成杭の有無に拘わらず現場にて直接地中杭を造成する新設杭造成工法。
【請求項２】
重機に取り付けたアースドリル装置のケリーバー先端部にカッターバケットを装着し撤去すべき既存の地中杭又はコンクリート構造物などの障害物の上にカッターバケットをセットし、前記カッターバケットを回転させて撤去位置の固定を行い、続いて表層ケーシングの建て込み深さまで掘削して表層ケーシングを建て込み、ベントナイト溶液を注入しながらカッティング作業と周知のドリリングバケットによる粉砕滓の排出作業を交互に繰り返して所定の深さまで掘削した後、カッターバケットを引き上げてドリリングバケットにより粉砕滓となった障害物を撤去することを杭穴掘削の最終工程とすることを特徴とする請求項１記載の新設杭造成工法。
【請求項３】
前記カッターバケットは、カッタードラム上部補強板と、ドリルパイプと、ドリルパイプに固着されたドリルパイプ補強板と、該補強板とカッタードラム上部補強板と一体的に固着されたケリーバーソケットと、ドリルパイプの先端に設けられたフィニッシュテールと、該フィニッシュテールから後方に約６０°翼端を後退させると共に、ドリルパイプの軸線に対して約３０°回転方向から後方に傾斜して設けられた複数の翼板カッタービットを設けた翼板と、該翼板がドリルパイプの表面とカッタードラムの内周面との間に固着されたカッタードラムを有することを特徴とする請求項２記載の新設杭造成工法用カッターバケット。
【請求項４】
前記カッターバケットの下部円周端面にはドラムの回転方向に対して約４５°傾斜した複数のドラムカッタービットが設けられていることを特徴とする請求項３記載の新設杭造成工法用カッターバケット。
【請求項５】
前記ドリルパイプの先端に設けられたフィニッシュテールは、カッタードラムの下部円周端面よりもドラムの内側に位置することを特徴とする請求項３又は４記載の新設杭造成工法用カッターバケット。
【発明の詳細な説明】
【技術分野】
【０００１】  本発明は、既存の杭や地下構造物等の障害物の有無に拘わらず、特殊な構成を有するカッターバケットを使用し障害物を破砕しながら杭穴を掘削して必要な径の地中杭を新設する工法に関するものである。
【背景技術】
【０００２】  従来より、都市の再開発や建造物の建て替え等においては、既設の建造物の解体と共にその建造物を支持していた杭や地下構造物を撤去し、既に存在する地下構造物の上に新たに建造物を構築する場合、既設の杭を抜いて埋め戻したり、既存の障害物を避けて杭打ちを行っていたが、従来の杭抜き工法では、既設杭の挫屈、斜杭ジョイント部の溶接不良等により不完全な杭抜きが多々発生しており、新設する杭打ち時にトラブルの要因となっていた。また、既設の杭打ちに関する資料も乏しく杭長の設定が困難な場合もある。【０００３】  しかも、前記ケーシング工法による杭抜きの場合は、数日間に及ぶ多大の水量を使用するため、地盤の沈下や崩壊等による予想外の問題も発生していた。また、通常のケーシング工法による杭抜きの場合は、杭を抜いた穴は杭抜き後に山砂等で埋め戻しをするが、新設杭打ち時に埋め戻しした既設の杭の位置に掘削をした場合は埋め戻し土砂は殆ど掘削土砂と一緒に廃土とされてしまうので掘削土砂の増量化を招き、ひいては生コンクリートの使用量も増えることになる。場合によっては変形造成杭ともなりかねない。【０００４】  既設の杭を抜くこと無く、地中に残されている既設の杭を単に破砕して埋め戻す方法は既に知られている（特許文献１参照）が、これは既設の杭を抜く代わりに既設コンクリート杭を破砕して排出することのみを目的としたものである。また、杭や地下構造物を撤去するため掘削効率の良い掘削工事用のアースオーガーヘッドも各種知られている（特許文献２，特許文献３参照）が、そのまま既存の障害物を無視して新設杭の杭穴を形成することは出来ない。
【先行技術文献】
【特許文献】
【０００５】
【特許文献１】特開２００８−１４４５６１号公報  図面）
【特許文献２】特公昭４７−２４０１号公報  図面）
【発明の概要】
【発明が解決しようとする課題】
【０００６】  本発明は、前述したように既設の杭や既存の地下構造物等の障害物を撤去したり埋め戻したりすること無く、杭や地下構造物等の障害物の有無や位置に拘わらず、特殊な構成を有するカッターバケットを使用して障害物を破砕しながら必要な大きさの杭穴を掘削して必要な径の地中杭を新設すると共に、そのための杭穴掘削用の特殊なカッターバケットの提供を目的とするものである。
【課題を解決するための手段】
【０００７】  本発明の請求項１に記載された発明は、新設する杭径に適したアースドリル装置にて、既存の地中杭又はその一部を含む障害物を粉砕撤去し、新設する杭径に適合する径の穴を掘削した後に、掘削された杭穴に鉄筋による補強部材を構築し、いわゆる鉄筋籠の建て込みを行い、生コンクリートを注入することにより、既設杭の有無に拘わらず現場にて直接地中杭を造成する新設杭造成工法であって、請求項２に記載された発明は、重機に取り付けたアースドリル装置のケリーバー先端部にカッターバケットを装着し、撤去すべき既存の地中杭又はコンクリート構造物などの障害物の上にカッターバケットをセットし、前記カッターバケットを回転させて掘削位置の固定を行い、続いて表層ケーシングの建て込み深さまで掘削して表層ケーシングを建て込み、ベントナイト溶液を注入しながら本発明のカッターバケットによるカッティング作業と周知のドリリングバケットによる粉砕滓の排出作業を交互に繰り返して所定の深さまで掘削した後、カッターバケットを引き上げてドリリングバケットにより粉砕滓となった障害物を撤去することを杭穴掘削の最終工程とすることを特徴とする新設杭造成工法である。したがって、その掘削穴に直接鉄筋による補強材（鉄筋籠）を建て込んで生コンクリートを流し込んで新設杭を造成することができるので、既設の杭や既存の障害物を撤去することなく新設杭の造成ができるのである。【０００８】  請求項３に記載された発明は、前記カッターバケットの構造に関するもので、前記カッターバケットの上部は、カッタードラムの上部補強板とドリルパイプ補強板を介してケリーバーソケットに固定されたカッタードラムと、カッタードラムの内周面とドリルパイプの外周面との間に固定された翼板と、ドリルパイプの下部先端に三角形の板状パイプテールを有し、前記カッタードラムの下部円周端面と前記翼板には、それぞれ回転方向に向かって傾斜した複数のカッタービットが設けられていることを特徴とするもので、請求項４記載の発明は、前記ドリルパイプの下部先端の三角形の板状フィニッシュテールはカッタードラムの下部円周端面よりもドラムの内側に位置することを特徴とするものである。このようにカッタードラムの下部円周端面が、ドリルパイプの下部先端の三角形の板状フィニッシュテールよりも突出していることにより、杭穴を明けるための位置決めを行うに際して障害物の有無に関係なく安定してカッターバケット位置のセットを行うことができるのである。【０００９】請求項５に記載された発明は、請求項３及び４に記載された翼板の取り付け構造を特定したもので、前記翼板の傾斜角はドリルパイプの縦軸に対して後方及び回転方向に対しそれぞれ約６０°及び３０°の傾斜角度を有することを特徴とするものである。このように翼板が後方と回転方向に傾斜していることにより、カッタービットの食いつきが良くなり、杭や地下構造物等の障害物有無に拘わらず必要な杭径に適応した杭穴を容易に掘削できるのである。
【発明の効果】
【００１０】  本発明は、前述した構成を有する特殊なカッターバケットを使用することにより、既設の杭や既存の構造物を事前に撤去することなく、新設する杭の大きさに適応した杭穴を掘削して、そのまま鉄筋による補強材を建て込んでコンクリートを流し込み必要な杭を新設造成できるので、工事の時間と手間を従来の工法に比べて飛躍的に短縮できる。また、カッタードラムの内側にカッタービットを設けた翼板を設けたことにより、掘削すべき杭穴の位置決めが容易に安定できると共に掘削時のカッターの食いつきもよく、既設の杭や地下構造物等の障害物有無に拘わらず必要な杭径に適応した杭穴を容易に掘削できるので、既設の杭を引き抜く作業を行うこと無く、現場にて直接新設の地中杭を造成することができる。【００１１】  また、本発明によれば、既設の杭や地下構造物等の障害物を地中で粉砕し除去することが出来るので、既設の杭や既存の構造物を事前に撤去することなく、産廃廃棄物として最終処分場に持って行く必要も無い。そして粉砕した粉砕滓は掘削土砂と共に埋め戻し土砂やリサイクル土砂としての利用も可能である。更に従来のケーシング工法の杭抜き作業時に生ずる膨大な水量の供給による地盤沈下の恐れも無い。そして、必要な新設杭の規格に適応したカッターバケットを複数準備して置くことにより、既設の杭を引き抜くこと無く直ちに新設杭の規格に応じた地中杭を造成できるので、時間的にも経済的にも顕著な効果を奏するものである。【００１２】    また、本発明のカッターバケットを使用することにより、既設の杭や既存の地下構造物があってもカッターバケットが傾くこと無く安定して新設杭用の杭穴を掘削することができる効果を有するのである。
【図面の簡単な説明】
【００１３】
【図１】本発明の新設杭造成工法の概要説明図である。
【図２】本発明のカッターバケットの構造説明図である。
【図３】カッターバケットを底面から見たカッタービット配置説明図である。
【発明を実施するための形態】
【００１４】  以下、本発明の新設杭造成工法とそのためのバケットの実施例について説明するが、本発明の実施形態は下記の実施例に限定されるものではない。また、以下の説明において同一の機能を有する工程や材料、構成、部位等については同一の符号を付けて説明を省略する場合がある。
【００１５】  図１は本発明の新設杭造成工法の概要説明図で、本発明のカッターバケットを使用して杭穴を掘削するものである。
Ａは掘削装置を装備した周知の重機である。Ｂは通常の掘削機であるアースドリル装置で、そのケリーバーＣにはカッターバケット１又は図示しない周知の排土用のドリリングバケットが装填される。
【００１６】  掘削に際して、先ずアースドリル装置のケリーバーの中心を新規造成すべき杭芯位置にセットし、アースドリル装置のケリーバーＣにカッターバケット１を装填し、カッターバケット１を回転させて掘削位置にある撤去すべき既設の杭または既存の構造物等の障害物のカッティング作業を開始する。最初はゆっくりと回転させ、水を注入しながら徐々に回転を上げ障害物をカッティングしながら掘削を進め、表層ケーシングＥの建て込み深さまで掘削したところで、周知のドリリングバケットを使用して粉砕滓を排出し、表層ケーシングＥを建て込んだ後、ベントナイト溶液を注入しながらのカッターバケット１によるカッティング作業と周知のドリリングバケットによる粉砕滓の排出作業を交互に繰り返す。所定の深さまでカッティング作業が進むと、カッターバケット１を引き上げてドリリングバケットにより粉砕滓を完全に排出撤去して杭穴の掘削を完了し、その後、掘削された杭穴に鉄筋籠等の補強材を構築して建て込み、生コンクリートを打ち込むことにより新設杭が造成される。
【００１７】  図２及び図３は、本発明のカッターバケット１の構造説明図で、図２の（ａ）はカッターバケットの部分断面図、図２の（ｂ）はカッタービットの翼板への取り付け状態を示す説明図である。
２はカッタードラム、２ａはドラムの上部補強板で、３はドリルパイプ、３ａはドリルパイプ補強板である。４はケリーバーソケットで、抜け止め用のピン孔４ａが設けられている。そしてケリーバーソケット４とカッタードラム２の上部補強板２ａとドリルパイプ３の補強板３ａとは、例えば溶接により一体的に固着されている。
【００１８】  ５は翼板で、６はフィニッシュテール、７は翼板５に設けられたカッタービットで、８はカッタードラム２の下部円周端面に設けられたカッタービットで、いずれも先端部に超硬合金が埋め込まれた周知のカッタービットである。
翼板５は図２（ａ）のようにドリルパイプ３の表面とカッタードラム２の内周面との間に溶接等で固着され、ドリルパイプ３の先端部に設けられたフィニッシュテールから後方に５５°〜６５°好ましくは６０°翼端を後退させると共に、その軸線に対して図２（ｂ）に示すように２５°〜３５°好ましくは３０°回転方向から後方に傾斜させて設けてある。
【００１９】  フィニッシュテール６は三角形の板状体の鋼板で構成されており、カッタードラム２の下部円周端面よりもドラムの内側に位置するように設けられている。この位置の深さはドラムの長さが長いほど深くなるがドラムの長さが１０００〜１３００の場合、５０ｍｍ〜２００ｍｍが好ましい。このように、フィニッシュテールをカッタードラム２の下部円周端面より内側に位置させることにより、カッターバケット１の掘削開始の位置をセットした後の杭穴掘削作業が安定して行われる効果を有するのである。
【００２０】  図３（ａ）は、カッターバケットを底面から見たカッタービットの配置説明図で、カッタードラムの下部円周端面には図のように複数のカッタービットが設けられており、これらのカッタービット８はドラムの回転方向に向けて図３（ｂ）に見られるようにドラムの回転方向に向かって４０°〜５０°好ましくは４５°傾斜して取り付けられている。
また、３枚の翼板がドリルパイプ３とカッタードラム２の間に互いに１２０°の開角で設けられており、それらの翼板に設けられているカッタービット７の配列の位置間隔は互いに隣接する翼板のカッタービットの軌跡とは重複しないようになっている。
【符号の説明】
【００２１】  Ａ・・・重機
Ｂ・・・アースドリル装置
Ｃ・・・ケリーバー
Ｅ・・・ケーシング
１・・・カッターバケット
２・・・カッタードラム
２ａ・・カッタードラム上部補強板
３・・・ドリルパイプ
４・・・ケリーバーソケット
４ａ・・ピン孔
５・・・翼板
６・・・フィニッシュテール
７・・・翼板カッタービット
８・・・ドラムカッタービット
９・・・カッタードラム下部円周端面
【図１】
2014118807.tif 000003
【図２】
2014118807.tif 000004
【図３】
2014118807.tif 000005